(57)【要約】【課題】注入針を植物に刺した場合に植物の中身が注入孔に詰まってしまうようなことを防止できて、植物内への液体注入作業の確実性を向上可能な植物への液体注入方法及び液体注入装置を提供する。【解決手段】植物の内部に液体を注入するための注入針を備えた液体注入装置において、注入針２４は、液体供給源から加圧されて供給される液体を受ける受口２８と、受口で受けた液体を注入針の先端方向に導く内部流路２９と、当該内部流路と注入針の外周面３０とに貫通する注入孔３１とを備えた。【選択図】図１
2011152065.tif 000002
【特許請求の範囲】
【請求項１】
植物に注入針を突き刺して注入針の内部に形成された内部流路経由で植物内に液体を注入する液体注入方法であって、注入針に注入針の外周面と内部流路とに貫通する注入孔を設け、当該注入孔を介して液体を注入針の外周面から植物内に注入したことを特徴とする植物への液体注入方法。
【請求項２】
植物の内部に液体を注入するための注入針を備えた液体注入装置において、注入針は、液体供給源から加圧されて供給される液体を受ける受口と、受口で受けた液体を注入針の先端方向に導く内部流路と、当該内部流路と注入針の外周面とに貫通する注入孔とを備えたことを特徴とする植物への液体注入装置。
【請求項３】
注入針は、径寸法が一定の軸部と、軸部の一端に設けられて植物に突き刺すために先鋭に形成された先端部とを備え、受口と内部流路と注入孔とが軸部に形成されたことを特徴とする請求項２に記載の植物への液体注入装置。
【請求項４】
液体供給源と受口とを繋ぐ液体供給路と、液体供給路を開閉する開閉体を有した開閉装置と、開閉体による液体供給路の開閉を操作するための操作レバーとを備えたことを特徴とする請求項２又は請求項３に記載の植物への液体注入装置。
【請求項５】
植物を注入針の先端に引寄せる引寄せ部材を備え、当該引寄せ部材と操作レバーとが連動するように連結され、操作レバーは、引寄せ部材を注入針の先端に近付けるように動作させるとともに液体供給路を開くように開閉体を動作させることを特徴とする請求項４に記載の植物への液体注入装置。
【請求項６】
引寄せ部材が、注入針の中心軸線を中心として左右対称に設けられたことを特徴とする請求項５に記載の植物への液体注入装置。
【請求項７】
引寄せ部材により注入針の先端側に引寄せられた植物を注入針の先端に導くガイドを備えたことを特徴とする請求項５又は請求項６に記載の植物への液体注入装置。
【請求項８】
引寄せ部材が、植物をガイドに押し付けることにより、植物を折り曲げる力を植物に付与することを特徴とする請求項７に記載の植物への液体注入装置。
【発明の詳細な説明】
【技術分野】
【０００１】
本発明は、植物に除草剤等の液体を注入する液体注入方法及び液体注入装置に関する。
【背景技術】
【０００２】
従来、雑草のような除草対象の植物を除去するため除草剤を散布していたが、除草剤を散布すると環境汚染が懸念されるため、植物内に除草剤を注入して植物を枯らす技術が知られている（例えば、特許文献１等参照）。
【先行技術文献】
【特許文献】
【０００３】
【特許文献１】特開平１１−１１３４７４号公報
【発明の概要】
【発明が解決しようとする課題】
【０００４】
しかしながら、上記従来技術では、注入針（注入管）の先端に注入孔が設けられているため、注入針を植物に刺した場合に植物の中身が注入孔に詰まってしまって、注入孔から植物内に除草剤などの液体が注入されなくなってしまうといった課題があった。
本発明は、上記課題に鑑みてなされたもので、注入針を植物に刺した場合に植物の中身が注入孔に詰まってしまうようなことを防止できて、植物内への液体注入作業の確実性を向上可能な植物への液体注入方法及び液体注入装置を提供する。
【課題を解決するための手段】
【０００５】
本発明に係る植物への液体注入方法は、植物に注入針を突き刺して注入針の内部に形成された内部流路経由で植物内に液体を注入する液体注入方法であって、注入針に注入針の外周面と内部流路とに貫通する注入孔を設け、当該注入孔を介して液体を注入針の外周面から植物内に注入したので、注入針を植物に刺した場合に植物の中身が注入孔に詰まってしまうようなことを防止でき、植物内への液体注入作業の確実性を向上できる。
本発明に係る植物への液体注入装置は、植物の内部に液体を注入するための注入針を備えた液体注入装置において、注入針は、液体供給源から加圧されて供給される液体を受ける受口と、受口で受けた液体を注入針の先端方向に導く内部流路と、当該内部流路と注入針の外周面とに貫通する注入孔とを備えたので、注入針を植物に刺した場合に植物の中身が注入孔に詰まってしまうようなことを防止でき、植物内への液体注入作業の確実性を向上できる。
注入針は、径寸法が一定の軸部と、軸部の一端に設けられて植物に突き刺すために先鋭に形成された先端部とを備え、受口と内部流路と注入孔とが軸部に形成されたので、注入針を植物の茎に突き刺した場合に、植物の中身が軸部の外周面上を移動するので、植物の中身が注入孔に入り難くなる。よって、植物内への液体注入作業の確実性がより向上する。
液体供給源と受口とを繋ぐ液体供給路と、液体供給路を開閉する開閉体を有した開閉装置と、開閉体による液体供給路の開閉を操作するための操作レバーとを備えたので、操作レバーを操作することによって、植物内への液体注入動作及び注入停止動作を簡単に行える。
植物を注入針の先端に引寄せる引寄せ部材を備え、当該引寄せ部材と操作レバーとが連動するように連結され、操作レバーは、引寄せ部材を注入針の先端に近付けるように動作させるとともに液体供給路を開くように開閉体を動作させるので、操作レバーを操作することによって、引寄せ部材で植物を注入針の先端に近付けて注入針を植物に刺すことができるとともに注入孔から液体を噴射させて植物内に液体を注入できるようになるので、植物内への液体注入動作を簡単に行える。
引寄せ部材が、注入針の中心軸線を中心として左右対称に設けられたので、左右の引寄せ部材の間に植物の茎を位置させてから操作レバーを操作することにより、左右の引寄せ部材で植物の茎を左右から注入針の先端に確実に近付けることができる。つまり、植物の茎を注入針の先端に近付ける動作の確実性が増すので、液体注入作業を効率的に行える。
引寄せ部材により注入針の先端側に引寄せられた植物を注入針の先端に導くガイドを備えたので、植物の茎を注入針の先端に近付ける動作の確実性がより向上し、注入作業をより効率的に行えるようになる。
引寄せ部材が、植物をガイドに押し付けることにより、植物を折り曲げる力を植物に付与するので、茎の折れ曲がった部分に液体を注入でき、植物内部への液体注入動作の確実性が増すとともに、植物の茎を折り曲げることにより、この茎の折れ曲がった部分から植物の体液が浸出し、植物の体液と液体とが混合して植物の根に移動するようになるので、植物内に注入した液体の効果が早く現れるようになる。また、植物内部への液体注入後は、植物の茎の折れ曲がった形が残るので、植物の茎の折れ曲がっているか否かを見て液体注入済みか否かを容易に判別できるようになり、作業の効率化が図れる。
【図面の簡単な説明】
【０００６】
【図１】（ａ）は液体供給装置の斜視図、（ｂ）は注入針の断面図（＝注入針の中心軸線に沿った断面）（実施形態１）、（ｃ）は注入針の断面図（実施形態７）。
【図２】液体供給装置の断面図（実施形態１）。
【図３】引寄せ部の分解斜視図（実施形態１）。
【図４】（ａ）は噴射部及びガイドの分解斜視図、（ｂ）は噴射部；引寄せ部；ガイドが組み付けられた液体供給装置の先端部を示す斜視図（実施形態１）。
【図５】液体供給装置を先端側より見た図（実施形態１）。
【図６】液体供給装置の先端部を示す平面図（実施形態１）。
【図７】除草剤加圧装置の動作を示す断面図（実施形態１）。
【図８】開閉装置の動作を示す断面図（実施形態１）。
【図９】操作レバーの動作説明図（実施形態１）。
【図１０】液体供給装置の動作を示す平面図（実施形態１）。
【図１１】液体供給装置の動作を示す断面図（実施形態１）。
【図１２】開閉装置の動作を示す断面図（実施形態２）。
【図１３】液体供給装置の断面図（実施形態３）。
【図１４】液体供給装置の先端部を示す平面図（実施形態４）。
【図１５】液体供給装置の先端部を示す平面図（実施形態５）。
【図１６】液体供給装置の先端部を示す平面図（実施形態６）。
【発明を実施するための形態】
【０００７】
実施形態１．
図１に示すように、実施形態１における除草装置１は、液体供給源及び液体加圧装置としての除草剤加圧装置２と、植物への液体供給装置としての除草剤注入装置３と、除草剤加圧装置２から除草剤注入装置３に液体としての除草剤を供給するための加圧装置側供給路４とを備える。除草剤注入装置３の形成材料は特に限定されないが、例えば、合成樹脂や金属などにより形成される。
【０００８】
除草剤加圧装置２は、加圧式噴霧器により形成される。
除草剤注入装置３は、外装体５と、除草剤供給路を開閉する開閉装置６と、注入装置側供給路７と、噴射部８と、引寄せ部９と、ガイド１０と、操作レバー１１とを備える。
【０００９】
外装体５は、基体１２と延長体１３とにより構成される。
基体１２は、一端側がグリップ（握手）部１４に形成され、他端に延長体１３が取付けられる。基体１２は、例えば、三方が覆われた内側空間１５を有する。
基体１２の中間部には操作レバー１１が取付けられる。操作レバー１１は、回転中心軸１６を介してグリップ部１４に近付く方向Ａ及びグリップ部１４から離れる方向Ｂに回転可能なように基体１２に取付けられた銃の引き金（トリガー）のような構成であり、片手で操作可能である。
延長体１３は、基体１２の他端（先端）より銃の銃身のように直線状に延長する筒体（例えば円筒）により形成される。
操作レバー１１及び基体１２は例えば合成樹脂により形成される。
【００１０】
開閉装置６は、グリップ部１４の内側空間１５に収納された状態でグリップ部１４に固定される。開閉装置６は、加圧装置側供給路４と注入装置側供給路７とを連通させる開閉供給路１７と、開閉供給路１７を開閉する開閉体１８とを備える。
開閉体１８は、図８（ａ）に示すように、操作レバー１１で押圧されていない場合には、戻しばね１７ａのばね力によって開閉供給路１７の開閉口１７ｂを閉塞した状態となっており、図８（ｂ）に示すように、操作レバー１１で押圧された場合には、戻しばね１７ａのばね力に抗して開閉供給路１７の開閉口１７ｂを開放する状態となる。
【００１１】
加圧装置側供給路４及び注入装置側供給路７は、例えば、円筒状の可撓性チューブにより形成される。そして、加圧装置側供給路４の一端開口と除草剤加圧装置２の除草剤出口１９とが連通可能に繋がれ、加圧装置側供給路４の他端開口と開閉供給路１７の除草剤受口２０とが連通可能に繋がれ、注入装置側供給路７の一端開口と開閉供給路１７の除草剤出口２１とが連通可能に繋がれ、注入装置側供給路７の他端開口と後述する注入針２４の受口２８とが連通可能に繋がれる。
即ち、加圧装置側供給路４と開閉供給路１７と注入装置側供給路７とにより、除草剤加圧装置２から液体注入装置３の噴射部８に加圧された除草剤を供給するための液体供給路２３が形成され、この液体供給路２３が開閉体１８により開閉される。
【００１２】
噴射部８は、延長体１３の他端（先端）３２に設けられる。
噴射部８は、注入針２４と、注入針固定部２５とを備える。
注入針２４は、径寸法が一定の軸部２６と、軸部２６の一端に設けられて植物に突き刺すために先鋭に形成された先端部２７とを備える。軸部２６は、除草剤加圧装置２から供給される液体を受ける受口２８と、受口２８で受けた除草剤を注入針２４の先端方向に導く内部流路２９と、当該内部流路２９と軸部２６の外周面３０とに貫通する注入孔３１とを備える。
注入孔３１の数は、１個以上である。注入孔３１の径寸法は、例えば０．３ｍｍ程度である。また、注入孔３１は、注入孔３１の中心軸線が、軸部２６の中心軸線と直交するように形成される。
注入針２４の先端部２７は、例えば、軸の一端部を円錐面等の錐面形状に形成して先端を尖らせた構成や、軸の一端部を斜めに切断して先端を尖らせた構成により形成される。
【００１３】
注入針２４は、軸部２６の中心軸線と延長体１３の筒の中心軸線とが一致するように設置される。これにより、延長体１３の筒の延長方向と植物の茎Ｐの延長方向とを交差させて延長体１３の先端を植物に押し当てることで、注入針２４を植物の茎Ｐに容易に突き刺すことができるようになる。
また、注入針２４は、径寸法が一定の軸部２６を備え、軸部２６の内部流路２９と軸部２６の外周面３０とに貫通するとともに中心軸線が軸部２６の中心軸線と直交する注入孔３１を備えるため、軸部２６の中心軸線に沿った方向となる注入針２４の植物内での注入針２４の進行方向と注入孔３１の中心軸線とが必ず直交する。このため、注入針２４を植物の茎Ｐに突き刺した場合に、植物の中身は軸部２６の外周面３０上を移動するので、植物の中身が注入孔３１に入り難くなり、注入孔３１に詰まらないようになる。よって、注入孔３１を介して確実に植物内に除草剤を注入できるようになる。
また、茎Ｐが細い植物の場合、従来のように注入針の先端に注入孔があると、注入針の先端が茎Ｐを突き抜けてしまって植物内に除草剤を注入できない問題があったが、実施形態１では、注入針２４の先端が茎Ｐを突き抜けてしまっても注入孔３１が植物内に留まる可能性が高くなるので、従来に比べて、茎Ｐが細い植物に対しても植物内に除草剤を効率的に注入できるようになる。
【００１４】
引寄せ部９は、延長体１３の他端３２に設けられる。引寄せ部９は、植物を注入針２４の先端に引寄せる引寄せ部材３３と、延長体１３の他端３２に取付けられて引寄せ部材３３を回転可能に支持する支持部材３４とを備える。
引寄せ部材３３と操作レバー１１とが連動するように引寄せ部材３３と操作レバー１１とが引張体３５により連結される。
【００１５】
従って、操作者が操作レバー１１をグリップ部１４に近付く方向Ａに回転するよう操作することにより、引寄せ部材３３が操作レバー１１で引っ張られた引張体３５により注入針２４の先端に近付く方向に回転するよう動作するとともに、操作レバー１１が開閉体１８を押圧して開閉体１８が開閉供給路１７を開くように動作する。
【００１６】
図３に示すように、引寄せ部９の支持部材３４は、平面視Ｙ字型に形成された板材（プレート）により構成される。支持部材３４は、延長体１３の他端３２の開口３９を介して延長体１３の筒内に入り込んで延長体１３の他端部に固定されるＹ字の下部分に相当する固定部４０と、延長体１３の他端３２より突出するＹ字の上部二股部分に相当する部材取付部４１とを備える。即ち、支持部材３４は、Ｙ字の下部分に相当する固定部４０が延長体１３の他端部に固定された場合に、部材取付部４１のＹ字の上部における二股に分かれて延長する左右の翼部４２；４２が延長体１３の中心軸線ａを中心として左右の前方に延長する構成である（図４（ａ）参照）。
固定部４０と延長体１３の他端３２との固定構造は、延長体１３の他端３２及び固定部４０に形成されたボルト通し孔４３；４４と、これらボルト通し孔４３；４４に通されるボルト４５と、これらボルト通し孔４３；４４に通されたボルト４５の先端部に締結されるナット４６ａとにより構成される（図３参照）。
除草剤注入装置３において操作レバー１１が設けられている側を下側とすると、支持部材３４は、延長体１３の中心軸線ａを中心として上下対称に２個設けられる。
上下一対の支持部材３４；３４の各部材取付部４１；４１の左右の翼部４２；４２の先端側に引寄せ部材３３；３３がそれぞれ回転可能に取付けられる。
【００１７】
図３に示すように、引寄せ部材３３は、回転体４６と、アーム４７とを備える。
回転体４６は例えば円柱形状に形成され、回転支持軸４８が円柱の両端面の円の中心より突出するように設けられる。アーム４７は、回転体４６の円周面より突出するように上下２段に設けられる。アーム４７は、植物の茎Ｐに接触して茎Ｐを注入針２４の先端側に引寄せる直線接触部４９を備える。
引寄せ部材３３の回転体４６の両端面より突出する回転支持軸４８が上下一対の支持部材３４；３４の左右の翼部４２；４２の先端部に形成された軸受孔５０に装着されることによって、左右一対の引寄せ部材３３；３３が支持部材３４に回転可能に取付けられる。
【００１８】
引張体３５は、先端側二股延長ワイヤ部５１と、操作レバー側ワイヤ部５２と、先端側二股延長ワイヤ部５１の一端と操作レバー側ワイヤ部５２の他端とを連結する連結部５３とにより構成される。先端側二股延長ワイヤ部５１の左右の両端部５４；５４がそれぞれ左右の引寄せ部材３３；３３の回転体４６；４６に連結される。例えば、回転体４６には、回転体４６の中心を横切るように互いに１８０度離れた回転体４６の円周面に貫通する貫通孔５５が形成されるとともに、この貫通孔５５と直交して貫通孔５５と回転体４６の円周面とに貫通するねじ孔５６が形成される。
そして、先端側二股延長ワイヤ部５１の左右の各端部５４；５４が左右の回転体４６；４６の貫通孔５５；５５にそれぞれ通され、貫通孔５５に通されたワイヤ部分をねじ孔５６に挿入螺着された止めねじ５８の先端で貫通孔５５の孔壁に押し付けることにより先端側二股延長ワイヤ部５１の左右の各端部５４；５４がそれぞれ回転体４６；４６に固定される。先端側二股延長ワイヤ部５１の左右の各端部５４；５４は、貫通孔５５内で止めねじ５８で固定された後に回転体４６の円周面に巻き付けられる。そして、先端側二股延長ワイヤ部５１の中間部が連結部５３に繋がれるとともに、操作レバー側ワイヤ部５２の他端部が連結部５３に繋がれ、図２に示すように操作レバー側ワイヤ部５２の一端部が操作レバー１１のワイヤ連結部１１ａに連結される。
【００１９】
連結部５３は、例えば、操作レバー側ワイヤ部５２の他端部に形成された一方止め孔部５９に連通する一方孔６０と先端側二股延長ワイヤ部５１の中間部に形成された他方止め孔部６１に連通する他方孔６２とを備えた二孔ワッシャ６３；６３と、二孔ワッシャ６３の一方孔６０及び一方止め孔部５９の孔に挿入される一方ボルト６４と、一方ボルト６４の先端に締結される一方ナット６５と、二孔ワッシャ６３の他方孔６２及び他方止め孔部６１の孔に挿入される他方ボルト６６と、他方ボルト６６の先端に締結される他方ナット６７とにより構成される。
【００２０】
上下一対の支持部材３４；３４は、左の翼部４２と右の翼部４２との間に位置する中間部７０に設けられたボルト通し孔７１と、上下のボルト通し孔７１；７１に通される連結ボルト６９と、上下のボルト通し孔７１；７１に通された連結ボルト６９の先端部に締結されたナット７２とからなる連結部７３Ａにより連結される。
【００２１】
３６は戻しばねであり、この戻しばね３６の一端に形成された係止環状部６８が、上下一対の支持部材３４；３４を連結する連結ボルト６９に係止され、戻しばね３６の他端に形成された係止環状部７４が回転体４６に巻き付けられたワイヤ部分に係止されることによって、引張体３５及び回転体４６と支持部材３４とが戻しばね３６により連結される。即ち、戻しばね３６の係止環状部７４は、係止環状部７４の先端側が回転体４６に巻き付けられたワイヤ部分と回転体４６の外周面との間に挿入されてワイヤ部分に係止される。
【００２２】
支持部材３４と引寄せ部材３３とには、互いに係止し合う係止部３７；３８が設けられる、係止部３７；３８が係止し合うことで、引寄せ部材３３が初期位置に止まるように構成されている。
支持部材３４に設けられる係止部３７は、例えば、部材取付部４１を貫通して回転体４６の円周面側に突出するボルト軸により形成される。引寄せ部材３３に設けられる係止部３８は、例えば、回転体４６の円周面より突出するように設けられた係止片により形成される。
【００２３】
図４（ａ）に示すように、噴射部８の注入針固定部２５及びガイド１０が、支持部材３４における左の翼部４２と右の翼部４２との間に位置する中間部７０に固定される。この中間部７０、注入針固定部２５、ブーメラン形状に形成されたガイド１０のそれぞれには、固定ボルト７３を通すためのボルト通し孔７４；７５；７６が形成される。
【００２４】
上のガイド１０は、上の支持部材３４の中間部７０の上方に配置され、下のガイド１０は、下の支持部材３４の中間部７０の下方に配置される。上のガイド１０のボルト通し孔７６と上の中間部７０のボルト通し孔７４との間にはガイド１０と中間部７０とを隔離するための上筒体７７が設けられ、下のガイド１０のボルト通し孔７６と下の中間部７０のボルト通し孔７４との間にはガイド１０と中間部７０とを隔離するための下筒体７８が設けられる。
【００２５】
注入針固定部２５は、上の中間部７０と下の中間部７０との間に配置される。注入針固定部２５のボルト通し孔７５の上部開口と上の中間部７０との間には注入針固定部２５と中間部７０とを隔離するための上筒体７９が設けられ、注入針固定部２５のボルト通し孔７５の下部開口と下の中間部７０との間には注入針固定部２５と中間部７０とを隔離するための下筒体８０が設けられる。
【００２６】
以上の構成において、固定ボルト７３を、上のガイド１０のボルト通し孔７６、上筒体７７の筒孔、上の中間部７０のボルト通し孔７４、上筒体７９の筒孔、注入針固定部２５のボルト通し孔７５、下筒体８０の筒孔、下の中間部７０のボルト通し孔７４、下筒体７８の筒孔、下のガイド１０のボルト通し孔７６に通して、これら孔に通された固定ボルト７３の先端にナット８１が締結されることによって、噴射部８の注入針固定部２５及びガイド１０が、支持部材３４の中間部７０に固定される。
【００２７】
図４（ｂ）に示すように、ガイド１０は、中間部７０に固定された状態において、延長体１３の中心軸線ａを中心として左右の前方に延長する左右の翼部８２；８２を備えた構成となる。左右の翼部８２；８２の各前側傾斜直線部８３；８３のなす角度は、支持部材３４における左右の翼部４２；４２の各前側傾斜直線部８３；８３のなす角度なす角度よりも小さい。
【００２８】
注入針固定部２５は、中間部７０に固定された状態において前端面８５と後端面８６とに貫通する貫通孔８７を備える。中間部７０に固定された状態において、この貫通孔８７の中心軸線と延長体１３の中心軸線ａ（図３参照）とが一致する。
そして、注入針２４は、連結部材８８を介して注入針固定部２５に固定される。連結部材８８は、内部に注入針２４の内部流路２９と連通する連通路を有した柱状体により形成され、注入針２４の後端部に一体化されている。連結部材８８が注入針固定部２５の前端面８５側から貫通孔８７内に嵌め込まれて図外の止ねじ等で固定されることによって、注入針２４が注入針固定部２５に固定され、これにより、注入針２４の中心軸線と延長体１３の中心軸線ａとが一致するように、かつ、注入孔３１が下側に位置するように、注入針２４が支持部材３４の中間部７０に固定される（図５参照）。
このように、噴射口となる注入孔３１の開口３１ｔ（図１（ｂ）参照）が下側を向くように注入針２４が固定されたので、グリップ部１４及び操作レバー１１を握って注入針２４を植物に差し込むと注入孔３１の開口３１ｔが下を向くため、注入針２４を植物の茎Ｐに突き刺した場合に、植物の中身が注入孔３１により入り難くなり、注入孔３１の詰まり防止効果が高まるとともに、植物の根に向けて除草剤を噴射できるので、除草効果が高まる。
【００２９】
また、注入装置側供給路７の他端開口が連結部材８９を介して注入針固定部２５に固定される（図３参照）。連結部材８９は、内部に貫通孔８７と連通する連通路を有した柱状体により形成される。注入装置側供給路７の他端開口が連結部材８９の連通路の一端と連通するように繋がれ、この連結部材８９の連通路の他端側が注入針固定部２５の後端面８６側から貫通孔８７内に嵌め込まれて連結部材８９が図外の止ねじ等で固定されることによって、注入装置側供給路７の他端開口と注入針２４の受口２８とが注入針固定部２５の貫通孔８７を介して連通可能に繋がれ、これにより、加圧された除草剤が液体供給路２３、注入針固定部２５の貫通孔８７、注入針２４の内部流路２９を経由して注入孔３１の開口３１ｔより噴射可能となる。
【００３０】
注入針２４は、先端がガイド１０の左右の翼部８２；８２の各前側傾斜直線部８３；８３の境界部よりも前方に突出するように設置される。
このように注入針２４が設置されたことにより、図１０；１１に示すように、左のアーム４７と右のアーム４７との間に植物の茎Ｐを入れ、操作者が操作レバー１１をグリップ部１４に近付く方向Ａに回転するよう操作して、引寄せ部材３３のアーム４７が注入針２４の先端に近付く方向に回転した場合、アーム４７により注入針２４の先端側に引寄せられた植物の茎Ｐが、ガイド１０の翼部８２の前側傾斜直線部８３にガイドされて注入針２４の先端側に移動しながらアーム４７の直線接触部４９とガイド１０の翼部８２の前側傾斜直線部８３とに挟まれて折れ曲がり、この折れ曲がった部分に注入針２４が突き刺さるようになる。
よって、植物の茎Ｐを折り曲げるとともに、この茎Ｐの折れ曲がった部分に注入孔３１を介して除草剤を注入できるようになるので、植物の内部に除草剤を確実に注入できる。
また、植物の茎Ｐを折り曲げると、この茎Ｐの折れ曲がった部分から植物の体液が浸出し、植物の体液と除草剤とが混合して植物の根に移動するようになり、植物に対する除草剤の効果が早く現れるので、植物を効果的に枯らすことができ、除草効果を向上できる。
また、植物内部への除草剤の注入後は、植物の茎Ｐの折れ曲がった形が残るので、植物の茎Ｐの折れ曲がっているか否かを見て除草剤注入済みか否かを容易に判別できるようになり、作業の効率化が図れる。
【００３１】
以上のように、延長体１３の先端に取付けられた支持部材３４及びこの支持部材３４に固定された噴射部８；引寄せ部材３３；ガイド１０；戻しばね３６などにより、除草剤注入装置３の先端部が構成される。除草剤注入装置３の先端部及び延長体１３は、例えば金属により形成される。
【００３２】
図９に示すように、操作レバー１１には回転可能なストッパ９０が設けられ、基体１２にはストッパが係止する係止部９１が設けられる。即ち、操作レバー１１をグリップ部１４に近付く方向Ａに回転するよう操作して、操作レバー１１で開閉体１８を押圧して開閉供給路１７の開閉口１７ｂを開放した操作状態（図８（ｂ）参照）において、ストッパ９０を係止部９１に係止させることにより、当該操作状態を維持できるように構成されるので、注入作業を長時間行う場合に操作レバー１１を握り続ける必要がなくなり、作業負担が軽減される。また、ストッパ９０を係止部９１に係止させることにより、図１０（ｃ）に示すように、引寄せ部材３３；３３が注入針２４に近付いた状態、即ち、引寄せ部材３３；３３が閉じた状態に維持されるので、全長が短くなって収納が容易となるとともに、引寄せ部材３３；３３や注入針２４の先端に手が触れたりすることを防止できるようにもなる。
【００３３】
図７に示すように、除草剤加圧装置２は、容器１００と、加圧手段１１０とを備える。
容器１００は植物に供給する除草剤を貯留する内部空間１０１を有した上部開放型に形成される。
加圧手段１１０は、容器１００内の内部空間１０１を加圧して容器１００より加圧装置側供給路４に除草剤を供給するために用いられるもので、例えば、蓋１０２と容器内空気加圧部１０３とを備える。
容器内空気加圧部１０３は、円筒形に形成された空気収容室１０４内を摺動することにより空気収容室１０４内の空気を容器１００の内部空間１０１に送る空気押圧部１０５と逆止弁１０６とを備える。逆止弁１０６は、図７（ａ）に示すように、空気押圧部１０５が押圧されていない場合には、ばね１０７のばね力によって空気収容室１０４の下部に形成された空気流入口１０８を閉塞した状態となっており、図７（ｂ）に示すように、空気押圧部１０５が押圧された場合にはばね１０７のばね力に抗して空気流入口１０８を開放する状態となる。
空気流入口１０８より容器１００の内部空間１０１に空気が送られることにより容器１００の内部空間１０１が加圧されるので、容器１００の内外を貫通する蓋１０２の貫通孔１０３ａと容器側ホース１１１とを介して加圧装置側供給路４に除草剤が供給される。貫通孔１０３ａは除草剤の連通路として機能し、貫通孔１０３ａの外面側の開口は除草剤出口１９として機能する。加圧装置側供給路４の一端開口と貫通孔１０３ａの除草剤出口１９とが図外のコネクタを介して連通可能に繋がれる。容器側ホース１１１は、一端部が容器１００の内部空間１０１の底部に設置されて、他端部が貫通孔１０３ａ内部に設置される。
【００３４】
２００は、除草剤注入装置３のグリップ部１４を握った状態の腕を支える腕支持機構である。腕支持機構２００は、グリップ部１４に固定されてグリップ部１４より後側に突出する連結部２０１と、腕支持部２０２と、ヒンジ２０３とを備える。腕支持部２０２は、連結部２０１に取付けられたヒンジ２０３により回転可能に連結部２０１に支持される。
【００３５】
操作者が、腕支持部２０２を回転させた腕支持機構２００の立上状態で除草剤注入装置３を使用した場合、除草剤注入装置３が腕支持部２０２とグリップ部１４との２点で支えられる。これにより、グリップ部１４で操作者が負担する除草剤注入装置３の荷重を軽減できるので、操作者に除草剤注入装置３の操作を容易とさせることができる。
【００３６】
除草剤としては、植物を枯らしたり、植物の種子の発芽を抑制する薬剤、農薬等が用いられる。例えば、日産化学工業株式会社製  商品名「ラウンドアップ  マックスロード」（登録商標）、住化タケダ園芸株式会社製  商品名「ターンアウト」（登録商標）などが用いられる。
【００３７】
除草対象の植物としては例えば河川の堤防法面を裸地化するような植物を対象とする。例えば、イタドリ、ワラビ、フキ、スイバ等の宿根性植物の群生、セイタカアワダチソウ、アレチマツヨイグサ等の外来植物、クズ、カナムグラ、クサフジ等の蔓性植物、ニセアカシア、ヤナギ類などの木本植物などである。
【００３８】
実施形態１の除草剤注入装置３によれば、操作者が操作レバー１１を操作していない状態においては、回転体４６には戻しばね３６のばね力により、アーム４７が注入針２４から離れる方向の回転力が付与されているとともに、係止部３７と係止部３８との係止によって、左右のアーム４７の直線接触部４９は延長体１３の中心軸線ａに沿ってほぼ平行に延長するような初期位置に位置される。即ち、引寄せ部材３３が戻しばね３６のばね力によって注入針２４の先端より離れた初期位置に引き戻される。
そして、操作者が操作レバー１１をグリップ部１４に近付く方向Ａに回転するよう操作すると、引張体３５がグリップ部１４側に引っ張られて戻しばね３６が伸びるとともに、回転体４６が引張体３５に引っ張られて一方方向に回転することで、アーム４７が初期位置から注入針２４の先端に近付く方向に回転して、左右のアーム４７の直線接触部４９が上下で交差し、左右のアーム４７の直線接触部４９が延長体１３の中心軸線ａとほぼ直交する状態となる（図６参照）。つまり、右のアーム４７；４７は、はさみ（鋏）の内刃と外刃のような関係に設けられる。しかも操作者が操作レバー１１をグリップ部１４に近付く方向Ａに回転するよう操作することで開閉体１８が操作レバー１１で押圧されると、開閉供給路１７の開閉口１７ｂが開放され、これにより、除草剤加圧装置２で加圧された除草剤が注入針２４に供給されて、注入孔３１より噴射される。
よって、左右のアーム４７；４７間に植物の茎Ｐを位置させた状態で、操作者が操作レバー１１をグリップ部１４に近付く方向Ａに回転するよう操作すれば、植物の茎Ｐがアーム４７により注入針２４の先端側に引寄せられ、そして、アーム４７の直線接触部４９とガイド１０の翼部８２の前側傾斜直線部８３とに挟まれて折れ曲がり、この折れ曲がった部分に注入針２４が突き刺さるので、注入孔３１が植物内に位置されやすくなり、注入孔３１が植物内に位置された状態で注入孔３１より除草剤が噴射されるので、植物の内部に除草剤を確実に注入できるようになる。
また、操作者が操作レバー１１を握って操作している状態から操作レバー１１を離した場合には、戻しばね３６のばね力により引張体３５が引っ張られ、これに伴って回転体４６も一方方向とは反対方向に回転し、引寄せ部材３３が注入針２４の先端より離れた初期位置に引き戻される。
【００３９】
即ち、除草剤加圧装置２と液体供給路２３と噴射部８と開閉体１８と操作レバー１１とにより液体噴射機構が構成される。
また、引寄せ部９と引張体３５と戻しばね３６と係止部３７；３８と操作レバー１１とにより引寄せ操作機構が構成される。
【００４０】
実施形態１の除草剤注入装置３によれば、除草剤加圧装置２から加圧されて供給される液体を受ける受口２８と、受口２８で受けた液体を注入針２４の先端方向に導く内部流路２９と、当該内部流路２９と注入針２４の外周面３０とに貫通する注入孔３１とを備えたので、注入針２４を植物に刺した場合に植物の中身が注入孔３１に詰まってしまうようなことを防止でき、植物内への除草剤注入作業の確実性を向上できる。
実施形態１の除草剤注入装置３によれば、径寸法が一定の軸部２６と、軸部２６の一端に設けられて植物に突き刺すために先鋭に形成された先端部２７とを備え、受口２８と内部流路２９と注入孔３１とが軸部２６に形成された注入針２４を備えたので、注入針２４を植物の茎Ｐに突き刺した場合に、植物の中身は軸部２６の外周面３０上を移動するようになるので、植物の中身が注入孔３１に入り難くなる。よって、注入針２４を植物に刺した場合に植物の中身が注入孔３１に詰まってしまうようなことをより確実に防止できるようになり、植物内への除草剤注入作業の確実性をより向上できる。
実施形態１の除草剤注入装置３によれば、除草剤加圧装置２と受口２８とを繋ぐ液体供給路２３と、液体供給路２３を開閉する開閉体１８を有した開閉装置６と、開閉体１８による液体供給路２３の開閉を操作するための操作レバー１１とを備えたので、操作レバー１１を操作することで、除草剤の注入動作及び注入停止動作を簡単に行えるようになる。
実施形態１の除草剤注入装置３によれば、植物を注入針２４の先端に引寄せる引寄せ部材３３を備え、当該引寄せ部材３３と操作レバー１１とが引張体３５により連動するように連結され、操作レバー１１は、引寄せ部材３３を注入針２４の先端に近付けるように動作させるとともに液体供給路２３を開くように開閉体１８を動作させるので、操作レバー１１を操作することによって、引寄せ部材３３で植物を注入針２４の先端に近付けて注入針２４を植物に刺すことができるとともに注入孔３１から除草剤を噴射させて植物内に除草剤を注入できるようになる。
実施形態１の除草剤注入装置３によれば、引寄せ部材３３が、注入針２４の中心軸線を中心として左右対称に設けられたので、左右の引寄せ部材３３の間に植物の茎Ｐを位置させてから操作レバー１１を操作することにより、左右の引寄せ部材３３で植物の茎Ｐを左右から注入針２４の先端に近付けることができるため、植物の茎Ｐを注入針２４の先端に近付ける動作の確実性が増すので、注入作業を効率的に行えるようになる。
実施形態１の除草剤注入装置３によれば、引寄せ部材３３により注入針２４の先端側に引寄せられた植物を注入針２４の先端に導くガイド１０を備えたので、植物の茎Ｐを注入針２４の先端に近付ける動作の確実性がより向上するので、注入作業をより効率的に行えるようになる。
実施形態１の除草剤注入装置３によれば、引寄せ部材３３が、植物をガイド１０に押し付けることにより、植物を折り曲げる力を植物に付与するので、茎Ｐの折れ曲がった部分に注入孔３１を介して除草剤を注入でき、植物の内部に除草剤を確実に注入できる。また、植物の茎Ｐを折り曲げることにより、この茎Ｐの折れ曲がった部分から植物の体液が浸出し、植物の体液と除草剤とが混合して植物の根に移動するようになるので、植物に対する除草剤の効果が早く現れるようになる。よって、植物を効果的に枯らすことができ、除草効果を向上できる。また、植物内部への除草剤の注入後に、植物の茎Ｐの折れ曲がった形が残るので、植物の茎Ｐの折れ曲がっているか否かを見て除草剤注入済みか否かを容易に判別できるので、作業の効率化が図れる。
実施形態１の除草剤注入装置３によれば、片手で操作可能な操作レバー１１を備えたので、片手で作業を行えるようになり、もう一方の片手が自由になるので、バランスの確保やもう一方の片手で作業に邪魔な植物の掻き分けを行うことができるようになり、例えば、堤防斜面等での作業を安全に行えるようになる。
実施形態１の除草剤注入装置３によれば、グリップ部１４を備えて操作レバー１１が取付けられた基体１２と、基体１２の先端より前方に延長する延長体１３と備え、延長体１３の先端に除草剤注入装置３の先端部を設けたので、操作レバー１１を操作する手から離れた場所で除草剤を噴射させることができるようになり、作業を安全に行える。
【００４１】
即ち、実施形態１の液体供給装置としての除草剤注入装置３は、外装体５と、外装体５の一端側に支持部材３４を介して固定され、かつ、液体供給源から加圧されて供給される液体を受ける受口２８と、受口２８で受けた液体を注入針２４の先端方向に導く内部流路２９と、当該内部流路２９と注入針２４の外周面３０とに貫通する注入孔３１とを備えた注入針２４と、液体供給源としての除草剤加圧装置２と注入針２４とを連通可能に繋いで除草剤加圧装置２から加圧された除草剤を注入針２４に供給する液体供給路２３と、液体供給路２３の途中に設けられて液体供給路２３を開閉する開閉体１８と、外装体５の一端（先端３２）側に支持部材３４を介して取付けられて植物を注入針２４の先端に引寄せるための引寄せ部材３３と、外装体５の他端側に回転可能に設けられた操作レバー１１と、引寄せ部材３３と操作レバー１１とが連動するように引寄せ部材３３と操作レバー１１とを連結する引張体３５とを備え、操作レバー１１を操作することにより、引寄せ部材３３が操作レバー１１により引っ張られる引張体３５によって注入針２４の先端に近付くように移動し、注入針２４が引寄せ部材３３により引寄せられた植物内に刺さった状態において、開閉体１８が操作レバー１１により液体供給路２３を開くように作動することで植物内に注入針２４から液体が供給されるように構成された。
このように構成された実施形態１の除草剤注入装置３によれば、上述した構成の注入孔３１を有した注入針２４を備えるので、注入針２４を植物に刺した場合に植物の中身が注入孔３１に詰まってしまうようなことを防止でき、引寄せ部材３３を備えるので、植物の茎Ｐを注入針２４の先端に近付ける動作の確実性が増すので、注入作業を効率的に行えるようになり、しかも、植物の茎Ｐを折り曲げることができることにより、植物を効果的に枯らすことができ、除草効果を向上できる。
【００４２】
実施形態２．
実施形態１では、開閉体１８は操作レバー１１で押圧された場合に、開閉供給路１７の開閉口１７ｂを開放するようにしたが、操作レバー１１の開閉体１８を押圧する押圧量に応じて開閉供給路１７の開閉口１７ｂを開閉させるようにしてもよい。即ち、図１２に示すように、開閉口１７ｂと開閉供給路１７とを連通する流路開放部２１０と開閉口１７ｂと開閉供給路１７とを塞ぐ流路閉塞部２１１とを備える開閉体１８Ａとした。これにより、図１２（ａ）に示すように、操作レバー１１で押圧されていない場合には、戻しばね１７ａのばね力によって開閉供給路１７の開閉口１７ｂを流路閉塞部２１１で閉塞した状態となっており、図１２（ｂ）に示すように、操作レバー１１で開閉供給路１７の開閉口１７ｂと流路開放部２１０とが一部一致または一致した状態となるような押圧量で開閉体１８Ａが押圧された場合には、戻しばね１７ａのばね力に坑して開閉供給路１７の開閉口１７ｂと流路開放部２１０とが連通し開閉供給路１７を開放する状態となる。そして、開閉供給路１７の開閉口１７ｂと開閉体１８Ａの流路開放部２１０とが一致しなくなるまで、更に操作レバー１１が操作された場合には、流路閉塞部２１１が戻しばね１７ａのばね力に坑して開閉供給路の開閉口１７ｂを閉塞した状態となる。これによれば、開閉口１７ｂと流路開放部２１０とが一部一致または一致した場合のみ開閉供給路１７が開放されるので、除草剤が無駄に噴射されることがない。
【００４３】
実施形態３．
図１３に示すように、延長体１３の外周面に操作レバー１１を回転可能に設けた構成とした。実施形態３によれば、基体１２を不要とできるので、装置の小型化、低コスト化が図れる。
【００４４】
実施形態４．
図１４に示すように、ガイド１０の翼部８２の前側傾斜直線部８３を曲線により形成した前側傾斜部８３Ａとしてもよい。前側傾斜部８３Ａは、翼部８２の先端より注入針２４の中心軸線ａに向かう方向に延長する緩傾斜部８３ａと、緩傾斜部８３ａより注入針２４の先端に向かう方向に延長する急傾斜部８３ｂとを備える。即ち、緩傾斜部８３ａと中心軸線ａとのなす角度は、急傾斜部８３ｂと中心軸線ａとのなす角よりも大きい。また、急傾斜部８３ｂは、緩傾斜部８３ａ側と中心軸線ａとのなす角が、注入針２４側と中心軸線ａとのなす角よりも小さい。実施形態４によれば、ガイド１０の前側傾斜部８３Ａにより、植物の茎Ｐが注入針２４の先端側にスムーズに導かれるようになる。つまり、引寄せ部材３３の閉じ動作の最初の段階で植物の茎Ｐが緩傾斜部８３ａに接触した場合、緩傾斜部８３ａの傾斜角が緩いので引寄せ部材３３の閉じ動作の進行するに従って、植物の茎Ｐが注入針２４の中心軸線ａに向かう方向にスムーズに移動した後、急傾斜部８３ｂにより横ずれが規制されて注入針２４の先端に確実に移動するようになる。
【００４５】
実施形態５．
図１５に示すように、左右の引寄せ部材３３のうちの一方のみを備えた構成としてもよい。この構成でも、植物の茎Ｐを注入針２４の先端に近付けることが可能である。
【００４６】
実施形態６．
図１６に示すように、注入針２４の先端に近付く方向及び注入針２４の先端より離れる方向に直進運動を行う引寄せ部材３３Ａを設けた構成としてもよい。この構成でも、植物の茎Ｐを注入針２４の先端に近付けることが可能である。
【００４７】
実施形態７．
図１（ｃ）に示すように、噴射口となる注入孔３１の開口３１ｔが、先端部２７の錐面形状の外面に開口する注入針２４としてもよい。即ち、内部流路２９と先端部２７の外周面とに貫通する注入孔３１を備えた注入針２４を用いてよい。
この注入針２４を植物の茎Ｐに突き刺した場合でも、植物の中身が先端部２７の錐面状の外周面上を移動するので、植物の中身が注入孔３１に入り難くなり、植物の中身が注入孔３１に詰まり難くなる。
【００４８】
実施形態８．
注入針固定部２５の貫通孔８７内に、所定値以上の液体圧力が加わっていない場合に貫通孔８７による液体流路を閉じ、所定値以上の液体圧力が加わった場合に貫通孔８７による液体流路を開く開閉バルブを設ける。このような開閉バルブを設けた場合、注入装置側供給路７内に除草剤が残った場合に当該除草剤が注入孔３１から漏れるのを防止できる。
【００４９】
ガイド１０を別体で設けずに、ガイド１０の機能も有した支持部材３４を備えた構成としてもよい。
引寄せ部材３３及びガイド１０を備えない構成としてもよい。即ち、片手で植物の茎Ｐを持って、注入針２４を茎Ｐに突き刺した後に、操作レバー１１を操作して除草剤を注入孔３１から噴射させるようにした構成でもよい。
上記では、植物への液体供給装置としての除草剤注入装置３を説明したが、本発明の植物への液体供給装置は、植物に栄養分を補給する液体を供給するための液体供給装置としても使用可能である。この場合、植物の茎Ｐを折り曲げるための構成は不要である。
【符号の説明】
【００５０】
１  除草装置、２  除草剤加圧装置、３  除草剤注入装置（液体供給装置）、
６  開閉装置、１１  操作レバー、１２  基体、１３  延長体、１８  開閉体、
２３  液体供給路、２４  注入針、２６  軸部、２７  先端部、２８  受口、
２９  内部流路、３０  注入針の外周面、３１  注入孔、３３  引寄せ部材、
３５  引張体。
【図１】
2011152065.tif 000003
【図２】
2011152065.tif 000004
【図３】
2011152065.tif 000005
【図４】
2011152065.tif 000006
【図５】
2011152065.tif 000007
【図６】
2011152065.tif 000008
【図７】
2011152065.tif 000009
【図８】
2011152065.tif 000010
【図９】
2011152065.tif 000011
【図１０】
2011152065.tif 000012
【図１１】
2011152065.tif 000013
【図１２】
2011152065.tif 000014
【図１３】
2011152065.tif 000015
【図１４】
2011152065.tif 000016
【図１５】
2011152065.tif 000017
【図１６】
2011152065.tif 000018